(57)【特許請求の範囲】
【請求項１】
器体と、前記器体内に収納された有底状容器と、前記容器を加熱して湯を沸かす加熱装置と、給湯スイッチと、前記給湯スイッチを押す操作を行うと前記容器に一端を連通し他端を前記器体外に開口した導水管を介して前記湯を前記器体外へ吐出する給湯動作を行う給湯装置と、料理の時間測定やカップめんの調理時間測定のために使用するカウントダウン方式のタイマー装置と、前記タイマー装置にセットされたタイマー時間を表示するとともに、前記タイマー装置がカウントダウン開始後において前記タイマー装置のタイマー動作の残り時間を表示する表示装置と、前記給湯スイッチの前記操作を有効にするためのロック解除スイッチとを備え、前記ロック解除スイッチを操作して前記給湯スイッチの前記操作を有効とした後の一定時間以内に前記給湯スイッチを操作すると前記給湯装置が前記給湯動作をし、前記ロック解除スイッチの操作をせずに前記給湯スイッチを一定時間以上押し続けると前記タイマー装置が動作し前記表示装置に前記セットされたタイマー時間を表示するタイマーモードにはいり、その後前記給湯スイッチから指を離すと前記タイマー装置はカウントダウン動作を開始する電気湯沸かし器。
【請求項２】
タイマーモードにはいり引き続き給湯スイッチを押し続けると、タイマー装置はセットされたタイマー時間のカウントアップ動作を開始する請求項１記載の電気湯沸かし器。
【請求項３】
タイマー装置がカウントダウン作動中に給湯スイッチを一定時間以上押し続けるとタイマー装置が現在保持しているタイマー動作の残り時間からカウントアップ動作をし、前記給湯スイッチから指を離すとカウントダウン動作を開始する請求項１記載の電気湯沸かし器。
【請求項４】
タイマー装置はロック解除スイッチを操作することでリセットされる請求項１記載の電気湯沸かし器。
【発明の詳細な説明】
【０００１】
【発明の属する技術分野】
本発明は主として一般家庭または事務所等で使用される電気湯沸かし器に関する。
【０００２】
【従来の技術】
従来のこの種の電気湯沸かし器の構成は図３及び図４に示すようであった。
【０００３】
１は本体である器体であり、２は器体１内に収納された有底状の容器である。容器２底には加熱用の加熱装置を形成するヒーター３が取り付けられている。４は器体１前面に垂直に備えられた導水管であり、一端を前記容器２底面に連通し他端を器体１外方に開口している。５は器体１内に収納された給湯装置を形成する電動タイプの遠心ポンプであり、容器２下方に位置して前記導水管４の途中に備えられて容器２内の湯を外方に給湯する。
【０００４】
６は容器２下方に配置された制御回路であり、制御回路６には信号によりカウントダウン機能を有するタイマー装置７を内蔵している。８は器体１上部に設けられた操作パネルであり、操作パネル８にタイマーボタン９が設けられてこのタイマーボタン９を操作することでタイマー機能を制御していた。操作パネル８上に、容器２内の湯を給湯する給湯スイッチ１０と、この給湯スイッチ１０の給湯機能を可能にするロック解除スイッチ１１と、容器２内の湯を沸騰させる再沸騰ボタン１２と、容器２内の湯温を選択する選択ボタン１３と、容器２内の水垢を除去するモードを選択する洗浄ボタン１４と、タイマー機能を起動するタイマーボタン９などの操作ボタンと、ロック解除表示ＬＥＤ１５、沸騰表示ＬＥＤ１６、保温温度選択表示ＬＥＤ１７、洗浄機能表示ＬＥＤ１８、タイマー動作表示用７セグメントＬＥＤ１９などの表示用ＬＥＤが配置されていた。
【０００５】
前記制御回路６はタイマー装置７、タイマーボタン９、給湯スイッチ１０、ロック解除スイッチ１１、再沸騰ボタン１２、選択ボタン１３、洗浄ボタン１４、ロック解除表示ＬＥＤ１５、沸騰表示ＬＥＤ１６、保温温度選択表示ＬＥＤ１７、洗浄機能表示ＬＥＤ１８、タイマー動作表示用７セグメントＬＥＤ１９と電気的に接続されていて、制御回路６で信号を受けたり制御したりするものである。
【０００６】
なお、タイマー動作表示用７セグメントＬＥＤ１９はタイマー装置７が動作しているとき以外は温度検知素子（図示せず）で検知した容器２内の湯温を表示している。
【０００７】
以上の構成において、動作、作用を説明する。容器２内に水を入れる。ヒーター３に通電して湯を沸かす。温度検知素子（図示せず）で温度検知して制御回路６で所定の温度に保温する。湯を所望のときは、ロック解除スイッチ１１を押すとロック解除表示ＬＥＤ１５が点灯する。そのまま放置すると約１０秒で消灯する。制御回路６はこのロック解除表示ＬＥＤ１５が点灯している間に給湯スイッチ１０を押すと遠心ポンプ５を駆動し湯は導水管４を押し出されて外方へと給湯される。
【０００８】
料理の時間測定用やカップめんの調理時間測定のためにタイマーボタン９を使用する。例えば６分を測定するために、タイマーボタン９でタイマー装置７のカウントダウン数値を６分にセットしておく。このときタイマー動作表示用７セグメントＬＥＤ１９が点灯して「６」を表示して残り時間を表示してタイマー動作中であることを知らせる。６分後に残り時間を「０」と表示して点滅を１０秒継続してからタイマー動作表示用７セグメントＬＥＤ１９は湯温を表示することとなる。
【０００９】
再沸騰ボタン１２は沸騰した湯が所望のときに押すと、沸騰表示ＬＥＤ１６が点灯して約２分で容器２内の湯は沸騰する。給湯については前述のとおりである。容器２内に水垢が付着してくるとクエン酸等を希釈した液を容器２に入れて洗浄ボタン１４を押すと、洗浄機能表示ＬＥＤ１８が点灯して、沸騰させた後にさらに沸騰と停止を約１５分間繰り返して容器２内面に付着した水垢を除去する。
【００１０】
洗浄動作が終了すると洗浄機能表示ＬＥＤ１８が点滅すると同時にヒーター３への通電を停止する。容器２内の湯を捨てて容器２内を洗浄してから水を入れて再沸騰ボタン１２を押すと湯沸かしを開始する。選択ボタン１３は保温温度を選択するものであり、保温時の湯温を制御回路６に指示するものである。
【００１１】
【発明が解決しようとする課題】
しかしながら、上記のような従来の構成では、操作パネル８上に、操作ボタンが５個と、ＬＥＤが６個配置されていて、操作が煩雑になるといった課題があった。
【００１２】
また、タイマー装置７の動作のためにタイマーボタン９を操作しなければいけないといった課題があった。
【００１３】
【課題を解決するための手段】
上記課題を解決するために、本発明の電気湯沸かし器は、器体と、前記器体内に収納された有底状容器と、前記容器を加熱して湯を沸かす加熱装置と、給湯スイッチと、前記給湯スイッチを押す操作を行うと前記容器に一端を連通し他端を前記器体外に開口した導水管を介して前記湯を前記器体外へ吐出する給湯動作を行う給湯装置と、料理の時間測定やカップめんの調理時間測定のために使用するカウントダウン方式のタイマー装置と、前記タイマー装置にセットされたタイマー時間を表示するとともに、前記タイマー装置がカウントダウン開始後において前記タイマー装置のタイマー動作の残り時間を表示する表示装置と、前記給湯スイッチの前記操作を有効にするためのロック解除スイッチとを備え、前記ロック解除スイッチを操作して前記給湯スイッチの前記操作を有効とした後の一定時間以内に前記給湯スイッチを操作すると前記給湯装置が前記給湯動作をし、前記ロック解除スイッチを操作せずに前記給湯スイッチを一定時間以上押し続けると前記タイマー装置が動作し前記表示装置に前記セットされたタイマー時間を表示するタイマーモードにはいり、その後前記給湯スイッチから指を離すと前記タイマー装置はカウントダウン動作を開始する構成としたものである。これにより、操作パネル上のボタンの数を少なくすることができる。また、ロック解除スイッチを操作しないと給湯されないので誤って給湯するといったことがない。
【００１４】
【発明の実施の形態】
請求項１に記載の発明は、器体と、前記器体内に収納された有底状容器と、前記容器を加熱して湯を沸かす加熱装置と、給湯スイッチと、前記給湯スイッチを押す操作を行うと前記容器に一端を連通し他端を前記器体外に開口した導水管を介して前記湯を前記器体外へ吐出する給湯動作を行う給湯装置と、料理の時間測定やカップめんの調理時間測定のために使用するカウントダウン方式のタイマー装置と、前記タイマー装置にセットされたタイマー時間を表示するとともに、前記タイマー装置がカウントダウン開始後において前記タイマー装置のタイマー動作の残り時間を表示する表示装置と、前記給湯スイッチの前記操作を有効にするためのロック解除スイッチとを備え、前記ロック解除スイッチを操作して前記給湯スイッチの前記操作を有効とした後の一定時間以内に前記給湯スイッチを操作すると前記給湯装置が前記給湯動作をし、前記ロック解除スイッチを操作せずに前記給湯スイッチを一定時間以上押し続けると前記タイマー装置が動作し前記表示装置に前記セットされたタイマー時間を表示するタイマーモードにはいり、その後前記給湯スイッチから指を離すと前記タイマー装置はカウントダウン動作を開始する構成とすることにより、タイマー機能を操作するボタンを低減するとともに、ロック解除スイッチを操作しないと給湯されないので誤って給湯するといったことがなく、操作の簡単な電気湯沸かし器を提供することができる。
【００１５】
請求項２に記載の発明は、特に、請求項１に記載の構成で、タイマーモードにはいり引き続き給湯スイッチを押し続けると、タイマー装置はセットされたタイマー時間のカウントアップ動作を開始する構成とすることにより、タイマーの選択と時間の設定を同時に行うことができて実用上１回だけの簡単な操作ができることと、部品点数を削減することができる。我々の経験からして人間の感覚では約０．３秒以上操作ボタンを押し続けることで明らかに操作する意志があることがわかる。従って０．３秒以上給湯スイッチを操作し続けることでタイマー機能を操作する意志があることがわかり、誤操作の心配がなくなる。また、タイマー機能を操作する意志を確認するために給湯スイッチを０．３秒以上操作することで誤操作を防止することができる。さらに、１秒以上の操作を必要とする場合には逆に日常の操作感覚では長すぎて操作しにくいと感じるものである。
【００１６】
請求項３に記載の発明は、特に、請求項１の構成で、タイマー装置がカウントダウン作動中に給湯スイッチを一定時間以上押し続けるとタイマー装置が現在保持しているタイマー動作の残り時間からカウントアップ動作をし、前記給湯スイッチから指を離すとカウントダウン動作を開始する構成とすることにより、タイマー動作中にセット時間を修正したい場合には給湯スイッチを０．３秒押さえてさらに所望のタイマー時間を表示するまで押し続けることでタイマーの動作途中の変更が可能になる。特別な操作が必要なく、ただ１回のみ給湯スイッチを押して離せばタイマー動作時間の変更が可能となる。したがって、タイマー動作の途中でも時間の再設定を簡単に行うことができて、タイマーボタンを離すとタイマーが動作するのでボタン操作が１回でよいこととなり、操作が簡単でボタンの部品点数を低減できる電気湯沸かし器を提供することができる。
【００１７】
請求項４に記載の発明は、特に、請求項１記載のタイマー装置はロック解除スイッチを操作することでリセットされる構成としたことにより、リセットしたい時にはロック解除スイッチを操作すればリセットできる電気湯沸かし器を提供することができる。
【００１８】
【実施例】
（実施例１）
以下に本発明の実施例１を図１を用いて説明する。
【００１９】
器体１、容器２、ヒーター３、導水管４、遠心ポンプ５、ロック解除スイッチ１１、再沸騰ボタン１２、選択ボタン１３、洗浄ボタン１４、ロック解除表示ＬＥＤ１５、沸騰表示ＬＥＤ１６、保温温度表示ＬＥＤ１７、洗浄機能表示ＬＥＤ１８、タイマー動作表示用７セグメントＬＥＤ１９は従来の実施例と同一の形状と機能であり、同一の名称と符号を使用して説明は省略する。
【００２０】
２１は器体１の上部に張り付けられた操作パネルであり、ポリエチレンテレフタレートフィルム等のプレス加工で形成されている。２２は給湯スイッチである。この給湯スイッチ２２はタイマースイッチ２３を兼ねている。制御回路６は湯沸かし機能は従来例の制御回路６と同じ動作をするが、給湯スイッチ２２とロック解除スイッチ１１と表示装置を構成するタイマー動作表示用７セグメント１９の動作が従来例と異なる。以下に動作を説明する。
【００２１】
湯沸かし動作については従来例と同じであり省略する。タイマー機能について説明する。料理の時間計測やカップめんの調理時間を測定するために給湯スイッチ２２を押すと０．３秒後にタイマーモードにはいり、引き続き押し続けるとタイマー装置７がタイマー時間のカウントアップを開始する。０．３秒毎に１分ずつ数値をカウントアップする。例えば１２分のタイマー設定をする場合には給湯スイッチ２２を押し続ける。最初の０．３秒でタイマー装置７が作動することとなる。引き続き給湯スイッチ１０を押し続けると０．３秒毎にタイマー装置７はカウントダウンする数値をカウントアップする。タイマー動作表示用７セグメントＬＥＤ１９はタイマー装置７のセット時間を逐次表示する。ここで給湯スイッチ２２から指を離すと、タイマー装置７はカウントダウンを開始するとともにタイマー動作表示用７セグメントＬＥＤ１９にタイマー動作の残り時間を表示する。タイマー動作が終了すると「０」を１０秒間点滅させた後に容器２内の湯温を表示する。
【００２２】
我々の経験からして人間の感覚では約０．３秒以上操作ボタンを押し続けることで明らかに操作する意志があることがわかる。従って０．３秒以上給湯スイッチ２２を操作し続けることでタイマー機能を操作する意志があることがわかり、誤操作の心配がなくなる。さらに、１秒以上の操作を必要とする場合には逆に日常の操作感覚では長すぎて操作しにくいと感じるものである。
【００２３】
タイマー動作のカウントダウン中にさらにタイマー装置７の時間を変更したい場合について説明する。タイマー時間を伸ばしたい場合はさらに給湯スイッチ２２を押す。０．３秒後に現在の残り時間からカウントアップする。所望の時間で給湯スイッチ２２から指を離すとタイマー装置７はカウントダウンを開始する。カウント終了時の動作は上述の通りである。タイマー動作中にタイマーの時間を短くしたい場合はカウントアップして「９９」分から「０」分に戻ってからさらに所望の時間になるまで給湯スイッチ２２を押し続ける。これはタイマー操作を単純に給湯スイッチ２２を押し続けて離すとタイマーセットできるといった簡単な操作を行うためである。
【００２４】
以上のように構成された電気湯沸かし器についてその動作、作用を説明する。基本的な湯沸かし操作は前述の従来の技術の動作と同じである。タイマー動作については料理の時間測定やカップめんの時間測定が必要なときに、給湯スイッチ２２を押す。０．３秒後にタイマー装置７が作動し、以降は設定時間のカウントアップが始まる。０．３秒毎に１分ずつカウントアップする。カウントアップと同時にタイマー動作表示用７セグメントＬＥＤ１９がタイマー時間を表示する。所望の時間をタイマー動作表示用７セグメントＬＥＤ１９が表示したら給湯スイッチ２２から手を離す。以降タイマー装置７はカウントダウンを実施し、タイマー動作終了時にはタイマー動作表示用７セグメントＬＥＤ１９が「０」を１０秒点滅表示し以降は容器２内の湯温を表示することとなる。
【００２５】
以上のように実施例１によれば、操作パネル８上のボタンの数を少なくすることができる。また、ロック解除スイッチ１１を操作しないと給湯されないので誤って給湯するといったことがない。
【００２６】
また、タイマー機能を操作する意志を確認するために給湯スイッチ１０を０．３秒以上操作することで誤操作を防止することができる。
【００２７】
また、タイマー操作をただ１回の給湯スイッチ１０の操作で実施できる。最初の０．３秒はタイマー操作の開始であり、引き続きタイマーをカウントアップする操作にはいるために、タイマー操作として給湯スイッチ２２を１回押してタイマーセット時間を合わせた後に給湯スイッチ２２を離せばタイマーのセットは完了することとなる。
【００２８】
また、給湯スイッチ２２を一定時間押し続けることでタイマー動作を起動し、タイマー操作を確実に実施することができる。
【００２９】
さらに、タイマー動作中にセット時間を修正したい場合には給湯スイッチ２２を０．３秒押さえてさらに所望のタイマー時間を表示するまで押し続けることでタイマーの動作途中の変更が可能になる。特別な操作が必要なく、ただ１回のみ給湯スイッチ２２を押して離せばタイマー動作時間の変更が可能となる。
【００３０】
（参考例１）
以下に本考案の参考例１を図２を用いて説明する。
【００３１】
器体１、容器２、ヒーター３、導水管４、遠心ポンプ５、再沸騰ボタン１２、選択ボタン１３、洗浄ボタン１４、ロック解除表示ＬＥＤ１５、沸騰表示ＬＥＤ１６、保温温度表示ＬＥＤ１７、洗浄機能表示ＬＥＤ１８、タイマー動作表示用７セグメントＬＥＤ１９は従来の実施例と同一の形状と機能であり、同一の名称と符号を使用して説明は省略する。
【００３２】
３１は器体１の上部に張り付けられた操作パネルであり、ポリエチレンテレフタレートフィルム等のプレス加工で形成されている。３２は給湯スイッチである。３３はタイマースイッチ３３であり、タイマー動作時間を設定するタイマースイッチ３３を押すと、０．３秒後からタイマー操作時間を１分毎にカウントアップしてタイマースイッチ３３を離すとその時の設定時間を制御回路６内に保持する。３４はロック解除スイッチである。３５は制御回路であり、報知用のブザー（図示せず）を備えている。制御回路３５は湯沸かし機能は従来例の制御回路６と同じ動作をするが、給湯スイッチ３２とロック解除スイッチ３４と表示装置を構成するタイマー動作表示用７セグメント１９の動作が従来例と異なる。以下に動作を説明する。
【００３３】
湯沸かし動作については従来例と同じであり省略する。タイマー機能について説明する。料理の時間計測やカップめんの調理時間を測定するためにタイマースイッチ３３を押すと０．３秒後にタイマーモードにはいり、引き続き押し続けるとタイマー装置７がタイマー時間のカウントアップを開始する。０．３秒毎に１分ずつ数値をカウントアップする。例えば１２分のタイマー設定をする場合にはタイマースイッチ３４を押し続ける。最初の０．３秒でタイマー装置７が作動することとなる。引き続きタイマースイッチ３４を押し続けると０．３秒毎にタイマー装置７はタイマー動作する数値をカウントアップする。タイマー動作表示用７セグメントＬＥＤ１９はタイマー装置７のセット時間を逐次表示する。ここでタイマースイッチ３４から指を離すと、タイマー装置７はカウントアップ完了の時間を記憶する。このタイマー装置７のカウントアップ時間の記憶には不揮発性のメモリーが使用される。タイマースイッチ３４から指を離してから３秒後にはタイマー動作表示用７セグメントＬＥＤ１９は現在の容器２内お湯温の表示を開始する。
【００３４】
給湯スイッチ３２の操作については、まずロック解除スイッチ３４を押してロック解除表示ＬＥＤ１５が点灯する。このロック解除表示ＬＥＤ１５の点灯は１０秒であり、その間放置すると自動的に消灯する。そしてロック解除機能はこのロック解除表示ＬＥＤ１５が点灯している間のみ有効である。ロック解除機能が有効な時に給湯スイッチ３２を操作すると制御回路６が遠心ポンプ５を駆動して容器２内の湯を導水管４を介して給湯するものである。
【００３５】
ロック解除中に給湯スイッチ３２を操作して所望の湯を給湯した後に、給湯スイッチ３２から指を離すと、１０秒後にロック解除表示ＬＥＤ１５が消灯するとともに、タイマー装置７が作動する。タイマー装置７の動作状況はタイマー動作表示用７セグメントＬＥＤ１９に逐次表示される。表示されるのはカウントアップする時間であり、最初は「０」であり、１分毎にカウントアップする。そして１分毎に制御回路３５に備えられたブザーで報知する。
【００３６】
タイマー動作のカウントアップ中にさらにタイマー装置７の時間を変更したい場合について説明する。タイマー時間を伸ばしたい場合はさらにタイマースイッチ３３を押す。０．３秒後に現在の残り時間からカウントアップする。所望の時間でタイマースイッチ３３から指を離すとタイマー装置７は現在の経過時間から引き続きカウントアップを開始する。カウント終了時の動作は１０秒間カウントアップ時間を点滅表示した後に容器２内の湯温を表示する。タイマー動作中にタイマーの時間を短くしたい場合はカウントアップして「９９」分から「０」分に戻ってからさらに所望の時間になるまでタイマースイッチ３３を押し続ける。これはタイマー操作を単純にタイマースイッチ３３を押し続けて離すとタイマーセットできるといった簡単な操作を行うためである。設定時間がタイマー装置７の現在の動作時間より短い場合は動作が完了したと判断してカウントアップ時間を１０秒点滅させた後に容器２内の湯温を表示する。
【００３７】
以上のように構成された電気湯沸かし器についてその動作、作用を説明する。基本的な湯沸かし操作は前述の従来の技術の動作と同じである。タイマー動作については料理の時間測定やカップめんの時間測定が必要なときに、タイマースイッチ３３を押す。０．３秒後にタイマー装置７が作動し、以降は設定時間のカウントアップが始まる。０．３秒毎に１分ずつカウントアップする。カウントアップと同時にタイマー動作表示用７セグメントＬＥＤ１９がタイマー時間を表示する。所望の時間をタイマー動作表示用７セグメントＬＥＤ１９が表示したらタイマースイッチ３３から手を離す。０．３秒後に制御回路３５内の不揮発性メモリーに記憶される。
【００３８】
湯が所望のときは、ロック解除スイッチ３４を操作してロック解除表示ＬＥＤ１５を点灯させる。１０秒以内に給湯スイッチ３２を操作すると制御回路３５が遠心ポンプ５を駆動して導水管４を介して容器２内の湯を給湯することができる。
【００３９】
必要量の湯を給湯した後は、給湯スイッチ３２から指を離す。制御回路３５は遠心ポンプ５の駆動を停止する。ロック解除表示ＬＥＤ１５は１０秒間点灯した後に消灯する。
【００４０】
ロック解除表示ＬＥＤ１５が消灯した以降はタイマー装置７はカウントアップを実施し、タイマー動作終了時にはタイマー動作表示用７セグメントＬＥＤ１９が「０」を１０秒点滅表示し以降は容器２内の湯温を表示することとなる。タイマー動作の途中でカウントを停止させる場合はロック解除スイッチ３４を押すとタイマー動作は停止し、以降タイマー動作表示用７セグメントＬＥＤ１９は容器２内の湯温を表示する。
【００４１】
以上のように参考例１によれば、一度タイマー時間をセットしたら給湯操作を終了すると自動的にタイマー動作を行い、湯を使った料理等において重要な要因である時間をより正確に簡単に表示することができる。また、ロック解除スイッチ３４を操作してタイマー動作を停止させることもできる。
【００４２】
また、カウントアップタ表示をすることで、経過した時間がわかるとともにタイマー時間を変更するときもそのまま時間のみを変更すれが良い。
【００４３】
また、１分毎にブザーで報知するので常にタイマー動作表示用７セグメントＬＥＤ１９を見ている必要がなく料理の準備をしながら報知音で時間をしることができる。
【００４４】
さらに、リミッターで自動的にタイマー動作が終了して容器２内の湯温を表示するのでリセットする必要がない。また途中でリセットしたい場合はロック解除スイッチ３４を操作すればタイマー動作をリセットすることができる。
【００４５】
なお、タイマー動作表示用７セグメントＬＥＤ１９はＬＥＤで構成したが、液晶表示素子を使用しても良い。
【００４６】
【発明の効果】
以上のように本発明によれば、操作パネル上のタイマー機能を操作するボタンの数を少なくすることができる。また、ロック解除スイッチを操作しないと給湯されないので誤って給湯するといったことがない。
【図面の簡単な説明】
【図１】本発明の実施例１における電気湯沸かし器の構成を示す部分拡大図
【図２】本発明の参考例１における電気湯沸かし器の構成を示す部分拡大図
【図３】従来例を示す電気湯沸かし器の構成を示す部分断面斜視図
【図４】従来例を示す電気湯沸かし器の構成を示す部分拡大図
【符号の説明】
１  器体（本体）
２  容器
３  ヒーター（加熱装置）
４  導水管
５  遠心ポンプ（給湯装置）
７  タイマー装置
１１  ロック解除スイッチ
１９  タイマー動作表示用７セグメントＬＥＤ（表示装置）
２２  給湯スイッチ
３２  給湯スイッチ
３４  ロック解除スイッチ
【図１】
0003584888.tif 000002
【図２】
0003584888.tif 000003
【図３】
0003584888.tif 000004
【図４】
0003584888.tif 000005